【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
第１のピクチャに対応するアクセスユニット（ＡＵ）内に含まれるリカバリーポイント付加拡張情報（ＳＥＩ）メッセージにおいて、リカバリーポイントピクチャのピクチャ順序カウント（ＰＯＣ）値を示す情報を受信することと、前記リカバリーポイントピクチャは、コンテンツにおいて正しいまたはコンテンツにおいてほぼ正しいのうちの１つであるリフレッシュ領域を有し、前記リカバリーポイントピクチャの前記リフレッシュ領域は、前記リカバリーポイントピクチャの全体を含む、
復号順で前記第１のピクチャに続くピクチャが、前記リカバリーポイントＳＥＩメッセージにおいて示される前記リカバリーポイントピクチャの前記ＰＯＣ値に等しいＰＯＣ値を有さないという決定に基づいて、前記リカバリーポイントピクチャの前記ＰＯＣ値よりも大きいＰＯＣ値を有する、復号順で次のピクチャが、前記リカバリーポイントピクチャであると決定することと、
を備える方法。
【請求項２】
復号順で前記第１のピクチャに続くピクチャが、前記リカバリーポイントＳＥＩメッセージにおいて示される前記リカバリーポイントピクチャの前記ＰＯＣ値に等しい前記ＰＯＣ値を有さないと決定することに応答して、前記リカバリーポイントピクチャのすぐ前に来るピクチャが、ピクチャの漸次デコーダリフレッシュ（ＧＤＲ）セットの、出力順で最後のピクチャであると決定することと、
をさらに備える、請求項１に記載の方法。
【請求項３】
前記最後のピクチャは、復号順で前記第１のピクチャの前に来ない、請求項２に記載の方法。
【請求項４】
前記リカバリーポイントピクチャの前記ＰＯＣ値を示す前記情報は、前記第１のピクチャのＰＯＣ値と前記リカバリーポイントピクチャの前記ＰＯＣ値との間の差を示す情報を備える、請求項１に記載の方法。
【請求項５】
ランダムアクセス復号の始まりが、前記リカバリーポイントＳＥＩメッセージに関連付けられた前記アクセスユニットで開始することに基づいて、コンテンツにおいて正しいまたはコンテンツにおいてほぼ正しいと示される、前記リカバリーポイントピクチャにおけるまたは後続する、復号されたピクチャを生成することをさらに備える、請求項１に記載の方法。
【請求項６】
ビデオデータを復号するためのデバイスであって、
符号化されたビデオデータを記憶するように構成されたメモリと、
ビデオ復号デバイスと、を備え、前記ビデオ復号デバイスは、
第１のピクチャに対応するアクセスユニット（ＡＵ）内に含まれるリカバリーポイント付加拡張情報（ＳＥＩ）メッセージにおいて、リカバリーポイントピクチャのピクチャ順序カウント（ＰＯＣ）値を示す情報を受信し、前記リカバリーポイントピクチャは、コンテンツにおいて正しいまたはコンテンツにおいてほぼ正しいのうちの１つであるリフレッシュ領域を有し、前記リカバリーポイントピクチャの前記リフレッシュ領域は、前記リカバリーポイントピクチャの全体を含む、
復号順で前記第１のピクチャに続く第２のピクチャが、前記リカバリーポイントＳＥＩメッセージにおいて示される前記リカバリーポイントピクチャの前記ＰＯＣ値に等しいＰＯＣ値を有するという決定に基づいて、前記リカバリーポイントピクチャの前記ＰＯＣ値に等しい前記ＰＯＣ値を有する前記第２のピクチャが前記リカバリーポイントピクチャであると決定し、
復号順で前記第１のピクチャに続くピクチャが、前記リカバリーポイントＳＥＩメッセージにおいて示される前記リカバリーポイントピクチャの前記ＰＯＣ値に等しいＰＯＣ値を有さないという決定に基づいて、前記リカバリーポイントピクチャの前記ＰＯＣ値よりも大きいＰＯＣ値を有する、復号順で次のピクチャが、前記リカバリーポイントピクチャであると決定する、
ように構成された、デバイス。
【請求項７】
前記１つまたは複数のプロセッサは、
前記リカバリーポイントＳＥＩメッセージにおいて示される前記リカバリーポイントピクチャの前記ＰＯＣ値に等しい前記ＰＯＣ値を有する前記第２のピクチャが前記リカバリーポイントピクチャであるという前記決定に応答して、前記第２のピクチャが、ピクチャの漸次デコーダリフレッシュ（ＧＤＲ）セットの中の、復号順で最後のピクチャであると決定し、
復号順で前記第１のピクチャに続くピクチャが、前記リカバリーポイントＳＥＩメッセージにおいて示される前記リカバリーポイントピクチャの前記ＰＯＣ値に等しい前記ＰＯＣ値を有さないという前記決定に応答して、前記リカバリーポイントピクチャのすぐ前に来るピクチャが、前記ＧＤＲセットの、出力順で最後のピクチャであると決定する
ようにさらに構成された、請求項６に記載のデバイス。
【請求項８】
前記最後のピクチャは、復号順で前記第１のピクチャの前に来ない、請求項７に記載のデバイス。
【請求項９】
前記リカバリーポイントピクチャの前記ＰＯＣ値を示す前記情報は、前記第１のピクチャのＰＯＣ値と前記リカバリーポイントピクチャの前記ＰＯＣ値との間の差を示す情報を備える、請求項６に記載のデバイス。
【請求項１０】
前記ビデオ復号デバイスは、ランダムアクセス復号の始まりが、前記リカバリーポイントＳＥＩメッセージに関連付けられた前記アクセスユニットで開始することに基づいて、コンテンツにおいて正しいまたはコンテンツにおいてほぼ正しいと示される、前記リカバリーポイントピクチャにおけるまたは後続する、復号されたピクチャを生成するようにさらに構成される、請求項６に記載のデバイス。
【請求項１１】
再構成されたビデオデータを表示するように構成されたディスプレイデバイスをさらに備える、請求項６に記載のデバイス。
【請求項１２】
１つまたは複数の集積回路、
１つまたは複数のマイクロプロセッサ、
１つまたは複数のデジタルシグナルプロセッサ（ＤＳＰ）、
１つまたは複数のフィールドプログラマブルゲートアレイ（ＦＰＧＡ）、
デスクトップコンピュータ、
ラップトップコンピュータ、
タブレットコンピュータ、
電話、
テレビジョン、
カメラ、
ディスプレイデバイス、
デジタルメディアプレーヤ、
ビデオゲームコンソール、
ビデオゲームデバイス、
ビデオストリーミングデバイス、または、
ワイヤレス通信デバイス、
のうちの少なくとも１つをさらに備える、請求項６に記載のデバイス。
【請求項１３】
実行されると、ビデオ復号デバイスの１つまたは複数のプロセッサに、
第１のピクチャに対応するアクセスユニット（ＡＵ）内に含まれるリカバリーポイント付加拡張情報（ＳＥＩ）メッセージにおいて、リカバリーポイントピクチャのピクチャ順序カウント（ＰＯＣ）値を示す情報を受信させ、前記リカバリーポイントピクチャは、コンテンツにおいて正しいまたはコンテンツにおいてほぼ正しいのうちの１つであるリフレッシュ領域を有し、前記リカバリーポイントピクチャの前記リフレッシュ領域は、前記リカバリーポイントピクチャの全体を含む、
復号順で前記第１のピクチャに続く第２のピクチャが、前記リカバリーポイントＳＥＩメッセージにおいて示される前記リカバリーポイントピクチャの前記ＰＯＣ値に等しいＰＯＣ値を有するという決定に基づいて、前記リカバリーポイントピクチャの前記ＰＯＣ値に等しい前記ＰＯＣ値を有する前記第２のピクチャが前記リカバリーポイントピクチャであると決定させ、
復号順で前記第１のピクチャに続くピクチャが、前記リカバリーポイントＳＥＩメッセージにおいて示される前記リカバリーポイントピクチャの前記ＰＯＣ値に等しいＰＯＣ値を有さないという決定に基づいて、前記リカバリーポイントピクチャの前記ＰＯＣ値よりも大きいＰＯＣ値を有する、前記複数のピクチャのうちの、復号順で次のピクチャが、前記リカバリーポイントピクチャであると決定させる
命令が記憶された非一時的なコンピュータ可読記憶媒体。
【請求項１４】
実行されると、前記ビデオ復号デバイスの前記１つまたは複数のプロセッサに、
前記リカバリーポイントＳＥＩメッセージにおいて示される前記リカバリーポイントピクチャの前記ＰＯＣ値に等しい前記ＰＯＣ値を有する前記第２のピクチャが前記リカバリーポイントピクチャであるという前記決定に応答して、前記第２のピクチャが、ピクチャの漸次デコーダリフレッシュ（ＧＤＲ）セットの中の、復号順で最後のピクチャであると決定させ、
復号順で前記第１のピクチャに続くピクチャが、前記リカバリーポイントＳＥＩメッセージにおいて示される前記リカバリーポイントピクチャの前記ＰＯＣ値に等しい前記ＰＯＣ値を有さないという前記決定に応答して、前記リカバリーポイントピクチャのすぐ前に来るピクチャが、前記ＧＤＲセットの、出力順で最後のピクチャであると決定させる
命令がさらに記憶された、請求項１３に記載の非一時的なコンピュータ可読記憶媒体。
【請求項１５】
前記リカバリーポイントピクチャの前記ＰＯＣ値を示す前記情報は、前記第１のピクチャのＰＯＣ値と前記リカバリーポイントピクチャの前記ＰＯＣ値との間の差を示す情報を備える、請求項１３に記載の非一時的なコンピュータ可読記憶媒体。
【請求項１６】
実行されると、前記ビデオ復号デバイスの前記１つまたは複数のプロセッサに、
ランダムアクセス復号の始まりが、前記リカバリーポイントＳＥＩメッセージに関連付けられた前記アクセスユニットで開始することに基づいて、コンテンツにおいて正しいまたはコンテンツにおいてほぼ正しいと示される、前記リカバリーポイントピクチャにおけるまたは後続する、復号されたピクチャを生成させる命令がさらに記憶された、請求項１３に記載の非一時的なコンピュータ可読記憶媒体。
【請求項１７】
ビデオデータを復号するためのデバイスであって、
前記符号化されたビデオビットストリームから、ピクチャ順序カウント（ＰＯＣ）値を示す、第１のピクチャに対応するアクセスユニット（ＡＵ）内に含まれるリカバリーポイント付加拡張情報（ＳＥＩ）メッセージを受信するための手段と、前記リカバリーポイントピクチャは、コンテンツにおいて正しいまたはコンテンツにおいてほぼ正しいのうちの１つであるリフレッシュ領域を有し、前記リカバリーポイントピクチャの前記リフレッシュ領域は、前記リカバリーポイントピクチャの全体を含む、
復号順で前記第１のピクチャに続く第２のピクチャが、前記リカバリーポイントＳＥＩメッセージにおいて示される前記リカバリーポイントピクチャの前記ＰＯＣ値に等しいＰＯＣ値を有するという決定に基づいて、前記リカバリーポイントピクチャの前記ＰＯＣ値に等しい前記ＰＯＣ値を有する前記第２のピクチャが前記リカバリーポイントピクチャであると決定するための手段と、
復号順で前記第１のピクチャに続くピクチャが、前記リカバリーポイントＳＥＩメッセージにおいて示される前記リカバリーポイントピクチャの前記ＰＯＣ値に等しい前記ＰＯＣ値を有さないという決定に基づいて、前記リカバリーポイントピクチャの前記ＰＯＣ値よりも大きいＰＯＣ値を有する、復号順で次のピクチャが、前記リカバリーポイントピクチャであると決定するための手段と、
を備えるデバイス。
【請求項１８】
前記リカバリーポイントＳＥＩメッセージにおいて示される前記リカバリーポイントピクチャの前記ＰＯＣ値に等しい前記ＰＯＣ値を有する前記第２のピクチャが前記リカバリーポイントピクチャであるという前記決定に応答して、前記第２のピクチャが、ピクチャの漸次デコーダリフレッシュ（ＧＤＲ）セットの中の、復号順で最後のピクチャであると決定するための手段と、
復号順で前記第１のピクチャに続くピクチャが、前記リカバリーポイントＳＥＩメッセージにおいて示される前記リカバリーポイントピクチャの前記ＰＯＣ値に等しい前記ＰＯＣ値を有さないという前記決定に応答して、前記リカバリーポイントピクチャのすぐ前に来るピクチャが、前記ＧＤＲセットの、出力順で最後のピクチャであると決定するための手段と、
をさらに備える、請求項１７に記載のデバイス。
【請求項１９】
前記リカバリーポイントピクチャの前記ＰＯＣ値を示す前記情報は、前記第１のピクチャのＰＯＣ値と前記リカバリーポイントピクチャの前記ＰＯＣ値との間の差を示す情報を備える、請求項１７に記載のデバイス。
【請求項２０】
ランダムアクセス復号の始まりが、前記リカバリーポイントＳＥＩメッセージに関連付けられた前記アクセスユニットで開始することに基づいて、コンテンツにおいて正しいまたはコンテンツにおいてほぼ正しいと示される、前記リカバリーポイントピクチャにおけるまたは後続する、復号されたピクチャを生成するための手段をさらに備える、請求項１７に記載のデバイス。
【請求項２１】
再構成されたビデオデータを表示するための手段をさらに備える、請求項１７に記載のデバイス。
【請求項２２】
１つまたは複数の集積回路、
１つまたは複数のマイクロプロセッサ、
１つまたは複数のデジタルシグナルプロセッサ（ＤＳＰ）、
１つまたは複数のフィールドプログラマブルゲートアレイ（ＦＰＧＡ）、
デスクトップコンピュータ、
ラップトップコンピュータ、
タブレットコンピュータ、
電話、
テレビジョン、
カメラ、
ディスプレイデバイス、
デジタルメディアプレーヤ、
ビデオゲームコンソール、
ビデオゲームデバイス、
ビデオストリーミングデバイス、または、
ワイヤレス通信デバイス、
のうちの少なくとも１つをさらに備える、請求項１７に記載のデバイス。